(57)【要約】【課題】本考案は比較的簡易なシステムで安価に、かつ周囲の景観を崩さず、閉鎖性水域である湖沼の水質を浄化することである。【解決手段】本考案は湖沼の外周部水中を一周させた合成樹脂製の塩ビ管等内に空気ポンプを用いて空気を圧送する。あらかじめ用意した一方向にのみに噴出する噴射口から空気を噴射することにより、湖面を一周する水流を発生させ、水流が湖岸の岸壁・植物などと接すると汚水が浄化する自然の摂理の作用と、水中に酸素を供給する効果があいまって、湖の水質浄化を促進し、アオコの発生を防止する。【選択図】　図１
0003098569.tif 000002
【実用新案登録請求の範囲】
【請求項１】
湖沼水面の外周部水中の適当な位置に、合成樹脂製品などの管（以下塩ビ管等という）を張り回し、その管には事前に一定方向にのみ空気が噴出するように設計した噴出口を取り付ける。
湖外に設置した空気ポンプから塩ビ管等に空気を圧送して水中に噴射すると、湖沼の内周部分を一周する水流が発生する。
噴射口から噴出する空気中の酸素の補給とあいまって水流による水質の自然浄化作用をなす装置。
【請求項２】
１の塩ビ管等は中空部に空気が充填されると浮力が働くので、船における錨・鎖様に、コンクリート製・ポリプロピレン製などの綱を用いて柔軟に係留する。
【請求項３】
湖底に沈殿している汚泥を湖外に排出するために、錨様の錘を少しずつ移動させて塩ビ管を汚泥の多い位置に移動し、噴射口を下方に向け、水量の多くなる雨の日などに汚泥を浮上させて、汚泥を湖外に排出させる。
【考案の詳細な説明】
【０００１】
【考案の属する技術分野】
本考案は、湖沼の水質の浄化に関するものである。
【０００２】
【従来の技術】
溜池、湖沼などの水質汚濁の原因は、水質の富栄養化とこれによるアオコ等、藻類の大量発生といわれており、この浄化の取組みは、様々な装置、技術方法が考案されていて、瀑気法、水生植物植栽法、薬剤散布法など多くの浄化技術が開発され試行されているが、殆どの湖沼池が依然として汚濁したままであることから、既存の方法では解決されていない。
【０００３】
【考案が解決しようとする課題】
湖沼が汚染すると、魚貝などが生息できなくなり、汚臭が発生して種々の環境全体が悪化するので、その水質を浄化しようとするものである。
【０００４】
【課題を解決するための手段】
一方向のみに噴射する噴出口を取り付けた塩ビ管等のホースを湖沼内の外周水中に設置した後、空気ポンプを用いて空気を圧送すると、湖面を一周する水流が起り、空気に含まれている酸素の補給と、流水が湖岸に接すると水質が浄化する自然の摂理を活用した方法が併用されるので、汚水浄化の効果が上り、水質の浄化をする。
【０００５】
【考案の実施の形態】
基本的には、湖岸に設置した空気ポンプから、図１の湖岸を一周する合成樹脂製の塩ビ管等のホース中に空気を圧送すると、図３の噴出口から一定の方向に噴射させることにより、水流が除々に加速され湖岸を洗うかたちとなり、空気中の酸素の補給とあいまって水質浄化の自然の摂理が作用して湖沼の汚水が浄化する。
【０００６】錘は、湖中における塩ビ管等と錘間を、柔軟に固定している綱を活用して湖上から簡単に移動できるので、塩ビ管等を移動することにより、基本以外の水底の汚泥を浮かび上らせ、雨水などによる湖水の量が増加している時を利用して、汚泥を湖沼外に排出させて湖水の水質を浄化させる。
【０００７】
【実施例】
湖沼の水面外周部の水中に、あらかじめ一方向のみに噴出する噴出口を取り付けた合成樹脂製などの塩ビ管等を岸辺から２ｍ程度の位置に配置する。
塩ビ管等が浮上しないように、適当な数の、船における錨と鎖様の、錘と綱を用いて水中に柔軟に係留する。
湖外に設置した空気ポンプから空気を圧送して一方向のみに噴出させると、湖岸を洗う水流が発生し湖岸の岸壁、植物などと接して、空気中に含まれる酸素の供給とあいまって水質の自然浄化の作用が働き湖水が浄化される。
なお、塩ビ管等の係留位置などは、湖沼の広さ深さ、水辺が岩石かコンクリートか、自然草繁茂の状況等により、最適の位置を選定する。
【０００８】
【考案の効果】
本考案によれば、比較的簡易なシステムにより安価に、かつ景観性を損なうことなく湖沼の水質が浄化することが可能で、水中から発生する汚臭が少なくなり、魚貝の生育にも好条件となり、アオコの発生防止にも効果があり、景観上も良くなる。
【図面の簡単な説明】
【図１】本考案の水質浄化装置システムの平面図である。
【図２】本考案の図１の拡大図である。
【図３】本考案の噴射口部分の拡大図である。
【図４】本考案の断面図である。（例　湖岸から２ｍ）
【符号の説明】
１　空気ポンプ
２　塩ビ管等
３　噴射口
４　水流
５　岸辺
６　錨鎖様綱
７　錨鎖様錘
【図１】
0003098569.tif 000003
【図２】
0003098569.tif 000004
【図３】
0003098569.tif 000005
【図４】
0003098569.tif 000006
【手続補正書】
【提出日】平成15年8月5日(2003.8.5)
【手続補正１】
【補正対象書類名】明細書
【補正対象項目名】全文
【補正方法】変更
【補正の内容】
【考案の詳細な説明】
【実用新案登録請求の範囲】
【請求項１】湖沼水面の外周部水中の適当な位置に張り回され、事前に一定方向にのみ空気が噴出するようにした噴出口を取り付けた合成樹脂製品などの管と、
湖外に設置され、湖沼の内周部分を一周する水流を発生すべく噴出口から水中に空気を噴射すべく前記管に空気を圧送するための空気ポンプとを備え、
噴射口から噴出する空気中の酸素の補給とあいまって水流による水質の自然浄化作用をなすように構成したことを特徴とする湖沼汚水の浄化処理装置。
【請求項２】請求項１において、管は、中空部に空気が充填されることにより働く浮力に抗するため、船における錨・鎖様の錘と綱とを用いて柔軟に係留されていることを特徴とする湖沼汚水の浄化処理装置。
【請求項３】請求項２において、錘は移動可能であると共に、管は、噴射口を下方に向けることができるようになっていることを特徴とする湖沼汚水の浄化処理装置。
【考案の詳細な説明】
【０００１】
【考案の属する技術分野】
本考案は、湖沼の水質を浄化するための湖沼汚水の浄化処理装置に関するものである。
【０００２】
【従来の技術】
溜池、湖沼などの水質汚濁の原因は、水質の富栄養化とこれによるアオコ等、藻類の大量発生であるといわれており、この浄化の取組みは、様々な装置、技術方法が考案されていて、瀑気法、水生植物植栽法、薬剤散布法など多くの浄化技術が開発され試行されているが、殆どの湖沼池が依然として汚濁したままであることから、既存の方法では解決されていない。
【０００３】
【考案が解決しようとする課題】
湖沼が汚染すると、魚貝などが生息できなくなり、汚臭が発生して種々の環境全体が悪化することになり、その水質を浄化しようとするものである。
【０００４】
【課題を解決するための手段】
本考案は、上記の如き実情に鑑み創案されたものであって、請求項１の発明は、湖沼水面の外周部水中の適当な位置に張り回され、事前に一定方向にのみ空気が噴出するようにした噴出口を取り付けた合成樹脂製品などの管と、湖外に設置され、湖沼の内周部分を一周する水流を発生すべく噴出口から水中に空気を噴射すべく前記管に空気を圧送するための空気ポンプとを備え、噴射口から噴出する空気中の酸素の補給とあいまって水流による水質の自然浄化作用をなすように構成したことを特徴とする湖沼汚水の浄化処理装置である。
そしてこのようにすることにより、空気を一方向のみ噴射することで、湖面を一周する水流が起ると共に、空気に含まれている酸素の補給がなされ、流水が湖岸に接すると水質が浄化するという自然の摂理を活用した浄化ができることになって、汚水浄化の効果が上り、水質の浄化が計れる。
請求項２の考案は、請求項１において、管は、中空部に空気が充填されることにより働く浮力に抗するため、船における錨・鎖様の錘と綱とを用いて柔軟に係留されていることを特徴とする湖沼汚水の浄化処理装置であり、このようにすることで、管中空部に空気が充填されても水中に係留することができる。
請求項３の考案は、請求項２において、錘は移動可能であると共に、管は、噴射口を下方に向けることができるようになっていることを特徴とする湖沼汚水の浄化処理装置であり、このようにすることで湖底に沈澱している汚泥を湖外に排出するため、錘を移動させて管を汚泥の多いところに位置させ、噴射口を下方に向け、水量の多くなる雨の日などに汚泥を浮上させて汚泥を湖外に排出することができる。
【０００５】
【考案の実施の形態】
次に、本発明の実施の形態について図面を用いて説明する。図面において、１は湖外に配した空気ポンプ、２は塩化ビニル等の合成樹脂製などからなる管（以下「塩ビ管」という）、３は該塩ビ管２に取り付ける噴出口であって、該噴出口３は、事前に一定方向にのみ空気が噴出するように設計されている。尚、４は水流、５は岸辺である。
【０００６】
６はポリプロピレン製などからなる錨鎖様の綱、７は船における錨鎖様の錘であって、該錘７と塩ビ管２とは、綱６によって柔軟に係留されており、これによって塩ビ管２は水中に柔軟に係留される。そして空気ポンプ１から空気を圧送することで、湖沼の内周部分を一周する水流５を発生することができる。そして、該水流５の発生に、噴射口から噴出する空気中の酸素の補給があいまって水流による水質の自然浄化作用を達成できる。
また、塩ビ管２は、錘７を活用して湖上から簡単に移動できるため、雨水などによる湖水の量が増加しているときには、湖底に沈澱している汚泥を湖外に排出するため、錘７を移動させて塩ビ管２を汚泥の多いところに位置させると共に、噴射口を下方に向けた状態で空気を噴射すれば、汚泥を浮上させて汚泥を湖外に排出することができ、これによって湖水の水質を浄化させ得る。
【０００７】
前記塩ビ管２を水中に配置する場合に、該塩ビ管２は、噴出口３があらかじめ一方向のみに噴出するようにして岸辺から２ｍ程度の位置に配置することが適当である。錘７は、塩ビ管２が浮上しないように、適当な数にすることになる。
そうして、湖岸に設置した空気ポンプ１から、図１のように湖岸を一周する塩ビ管２中に空気を圧送すると、空気が噴出口３から一定の方向に噴射されることになり、これによって、水流が除々に加速され湖岸を洗うかたちとなり、これに空気中の酸素の補給とがあいまって、水質浄化の自然の摂理が作用する湖沼の汚水浄化機能が発揮される。
しかも、湖外に設置した空気ポンプ１から空気を圧送して一方向のみに噴出させると、湖岸を洗う水流が発生し湖岸の岸壁、植物などと接して、空気中に含まれる酸素の供給とあいまって水質の自然浄化の作用が働き湖水が浄化される。
なお、塩ビ管の係留位置などは、湖沼の広さ深さ、水辺が岩石かコンクリートか、自然草繁茂の状況等により、最適の位置を選定する。
【０００８】
【考案の効果】
本考案によれば、比較的簡易なシステムにより安価に、かつ景観性を損なうことなく湖沼の水質が浄化することが可能で、水中から発生する汚臭が少なくなり、魚貝の生育にも好条件となり、アオコの発生防止にも効果があり、景観上も良くなる。
【図面の簡単な説明】
【図１】本考案の水質浄化装置システムの平面図である。
【図２】本考案の図１の拡大図である。
【図３】本考案の噴射口部分の拡大図である。
【図４】本考案の断面図である。
【符号の説明】
１　　空気ポンプ
２　塩ビ管
３　噴射口
４　水流
５　岸辺
６　錨鎖様綱
７　錨鎖様錘